(57)【要約】【課題】被印刷体に結果として生じる印刷画像の色濃度もしくは階調値を、第１の版の露光後であっても、印刷機の内部で、特にインキゾーンのない印刷機の内部で、操作することを印刷工に可能にする方法および装置を提供する。【解決手段】第１の版が第１の画像データに基づいて製作され、第１の版を用いて印刷画像が被印刷体に印刷される。第１の版が露光された後でも、インキゾーンのない印刷機の内部で被印刷体の色濃度を操作することを印刷工に可能にするために、少なくとも被印刷体に印刷された印刷画像に基づいて、印刷機の領域で領域ごとに修正値が生成される。そしてこの修正値は、印刷の基礎となる印刷原図およびラスター化された画像データのうちの少なくとも１つを修正するために利用され、少なくともこの修正値に基づいて、少なくとも１つの第２の版が製作される。【選択図】図２
2008105423.tif 000002
【特許請求の範囲】
【請求項１】
第１の版が第１の画像データに基づいて製作され、
前記第１の版を用いて印刷画像が被印刷体に印刷される、印刷機における印刷方法のための少なくとも１つの版を製作する方法において、
少なくとも前記印刷画像（２０１）に基づいて前記印刷機の領域で修正値が領域ごとに生成され、
前記修正値は印刷の基礎となる印刷原図およびラスター化された画像データのうちの少なくとも１つを修正するために利用され、
少なくとも前記修正値に基づいて少なくとも１つの第２の版が製作されることを特徴とする、印刷機における印刷方法のための少なくとも１つの版を製作する方法。
【請求項２】
印刷された前記印刷画像（２０１）がモニタ（１２）に表示され、前記修正値が生成される領域をマーキングおよび選択のうちの少なくとも１つをすることができる、請求項１に記載の方法。
【請求項３】
前記修正値は所望の階調値および色濃度のうちの少なくとも１つに対応している、請求項１または２に記載の方法。
【請求項４】
選択可能な前記領域は、印刷方向で少なくとも印刷画像全体にわたって延びるゾーン（３０１）の形式で提供される、請求項２または３に記載の方法。
【請求項５】
選択可能な前記領域は、表示された印刷画像（２０１）に重ね合わされる構造として前記モニタ（１２）上で提供される、請求項２から４までのいずれか１項に記載の方法。
【請求項６】
表示された前記印刷画像（２０１）はゾーン（３０１）に下位区分され、前記ゾーン（３０１）は長手方向で印刷画像全体にわたって延びる少なくとも３つの帯状部（４０１，４０２）で構成されている、請求項４または５に記載の方法。
【請求項７】
前記修正値は隣接するゾーン（３０１）に合わせて帯状部単位で調節され、それにより、１つのゾーン（３０１）から隣接するゾーン（３０１）への調節された推移が生じる、請求項１から６までのいずれか１項に記載の方法。
【請求項８】
前記推移は調整可能である、請求項７に記載の方法。
【請求項９】
表示された前記印刷画像（２０１）は長手方向で互いに接するセグメント（４０３）に下位区分される、請求項２，４および６のうちの少なくとも１項に記載の方法。
【請求項１０】
マーキングによって１つの領域のすべてのセグメント（４０３）が選択され、選択された前記セグメント（４０３）について修正値が生成される、請求項９に記載の方法。
【請求項１１】
選択された前記領域の前記セグメント（４０３）の修正値は前記領域の境界に向って、外側でこれに接するセグメント（４０３）に合わせて調節される、請求項１０に記載の方法。
【請求項１２】
前記調節および前記調節が行われる境界領域のうちの少なくとも１つは調整可能である、請求項１１に記載の方法。
【請求項１３】
前記修正値はラスターイメージプロセッサ（ＲＩＰ）（１５）または製版装置に伝送される、請求項１に記載の方法。
【請求項１４】
前記ＲＩＰ（１５）または前記製版装置はラスター化された画像データまたは該画像データの基になるオブジェクトを前記修正値に応じて修正し、修正された画像データが前記印刷機に伝送され、該画像データに基づいて修正された印刷画像の画像が表示される、請求項１３に記載の方法。
【請求項１５】
色重ねによって印刷が行われ、被印刷体の色調の変更は少なくとも第２の版を製版するときにラスターデータの修正を通じて調整される、請求項１から１４までのいずれか１項に記載の方法。
【請求項１６】
前記修正値は個々の画点または個々の網点の絶対値である、請求項１から１５までのいずれか１項に記載の方法。
【請求項１７】
前記修正値は個々の画点または個々の網点の相対値であり、該相対値はこれらの点の所要の修正に関する指示を表している、請求項１から１５までのいずれか１項に記載の方法。
【請求項１８】
前記印刷方法はアニロックス印刷法である、請求項１から１７までのいずれか１項に記載の方法。
【請求項１９】
版として印刷版（１８）が用いられ、製版装置として前記印刷機から切り離された版露光器（１６）が用いられる、請求項１から１８までのいずれか１項に記載の方法。
【請求項２０】
まず版の上でテスト版が製作され、
前記テスト版はそれぞれ１つの領域に割り当てられたコントロール楔を有しており、
領域ごとの色調およびドットゲインのうちの少なくとも１つにおける不規則性が判定され、
判定された前記不規則性を参照しながら修正値が作成され、
前記修正値がＲＩＰ（１５）または製版装置へ伝送され、
少なくとも第１の版が製作されるときに前記修正値が画像データまたは網点の修正のために考慮される、請求項１から１９までのいずれか１項に記載の方法。
【請求項２１】
少なくとも１つの印刷機と、印刷機における印刷方法のために少なくとも１つの版を製作するための製版装置とを含む印刷システムであって、
請求項１から２０までのいずれか１項に記載の方法を実施するために、
第１の画像データに基づいて第１の版が製作され、
前記版を用いて印刷画像が被印刷体に印刷される、印刷システムにおいて、
前記印刷機はインキゾーンのない印刷機であり、
印刷された印刷画像を表示するためのスクリーンと、
表示された印刷画像の選択された領域をマーキングするためのマーキング機構と、
マーキングされた前記領域の修正値を調整するための切換部材とを含んでおり、
前記製版装置は版露光器（１６）であり、
前記版露光器（１６）および前記印刷機のうちの少なくとも１つはラスターイメージプロセッサ（１５）（ＲＩＰ）を有しており、
前記印刷機から前記版露光器（１６）および前記ＲＩＰ（１５）のうちの少なくとも１つへ修正値を伝送するための通信回線が設けられており、
修正されて表示された印刷画像を操作するために、および、修正された当該印刷画像に基づいて版の製作を開始するために、のうちの少なくとも１つのために、少なくとも１つの操作機構が前記印刷機の領域に設けられていることを特徴とする印刷システム。
【発明の詳細な説明】
【技術分野】
【０００１】
本発明は、印刷機における印刷方法のための少なくとも１つの版を製作する方法および装置に関し、第１の版が第１の画像データに基づいて製作され、その版を用いて印刷画像が被印刷体に印刷される。
【背景技術】
【０００２】
上述の方法および上述の装置によって、特に、たとえばアニロックス印刷機のようにインキゾーンをもたない印刷機を使用する場合に生じる問題を解決することが意図される。
【０００３】
これに相当する印刷機が特許文献１に記載されている。アニロックスローラすなわちスクリーンローラ、インキ着けローラ、版胴、およびインキ盛りシステムを備えるこのような印刷機の、同文献に記載されている装置を、ここに全面的な範囲で援用する。
【０００４】
インキゾーンを有している従来式のオフセット印刷機では、インキゾーン制御によって、印刷インキの供給がゾーンごとに調整される。それによって印刷機内部で、印刷画像の色濃度および特に階調値を、相応のゾーンで印刷中に調節することができる。インキ量を調節するインキゾーン調節ねじの制御は、今日の技術水準では、一般に異なる印刷インキについての印刷原図に依存して調節される。印刷インキとしては、４色刷りの場合には一般にシアン、マゼンタ、イエロー、ブラック（ＣＭＹＫ）の印刷インキがよく用いられる。印刷インキごとに違う印刷原図は、色分解版とも呼ばれる。印刷原図が走査され、露光器によって版に露光されるのが普通である。以前には中間ステップとして、フィルムの露光がさらに意図されていた。
【０００５】
印刷原図を記述するためのデータフォーマットとしては、今日、ページ記述原語であるポストスクリプト（ＰＳ）やＰＤＦ（portable document format）が広く利用されている。画像データを生成するために、別々の印刷原図がラスターイメージプロセッサ（ＲＩＰ）で走査され、相応のマトリックスないしビットマップへと変換される。露光の解像度に対応する個々のピクセルに、実現されるべきグレー値に依存して、それぞれ１つの値が割り当てられる。この割当は、一般に、閾値の集積に基づいて行われる。たとえば１つの網目セルに、複数のピクセルが割り当てられていてよい。そして、対応する印刷原図のグレー値に応じて、当該グレー値に割り当てられた複数のピクセルが露光され、そのようにして、グレー値に対応する網点が画像付けされる。そのために画像データは、ピクセルが画像付けされるか否かに応じて、値０または１をとる。
【０００６】
版の上で露光された複数のピクセルもしくは網点は、これに対応する画点を表しており、露光された点の数に依存して、印刷原図の当初の画点のグレー値に呼応するグレー値が表現される。
【０００７】
表現されるべき階調値、使用する版露光器、および使用する印刷機に依存して、印刷機によって被印刷体に印刷される実際の階調値の変化が生じる。予想されるドットゲイン、および印刷機や版露光器の相応のパラメータに依存して、被印刷体に結果として生じる印刷画像で、希望する階調値にできる限り近い階調値が生起されるように、インキゾーン調節ねじが自動的に調整される。さらに、印刷工には、自分の感覚に従って色濃度および階調値をインキゾーンの内部で限定的に、版の露光後にも調節することができるように、個々のインキゾーンのインキゾーン制御によるインキ量を調節する余地が残されている。版の網点面積率および印刷機のインキ量を制御するためのこのような方法は、特許文献２に開示されており、同文献をここに全面的な範囲で援用する。
【０００８】
上に説明したインキゾーンのない印刷機では、インキゾーン調節ねじを用いてインキ量供給を調節することはまったく不可能である。そのため印刷工には、インキゾーンに相当するような特定の領域内でインキ量を調節し、それによって、印刷される被印刷体の色濃度もしくは階調値を操作する手段は与えられていない。インキゾーンと同一ではない領域、あるいはインキゾーンに対して横向きに延びる領域にわたっての色濃度の操作は、インキゾーンを有している印刷機においてさえ不可能である。
【特許文献１】欧州特許出願公開第０８７０６０９Ａ２号明細書
【特許文献２】独国特許出願公開第１０２０１９１８Ａ１号明細書
【発明の開示】
【発明が解決しようとする課題】
【０００９】
そこで本発明の目的は、被印刷体に結果として生じる印刷画像の色濃度もしくは階調値を、第１の版の露光後であっても、印刷機の内部で、特にインキゾーンのない印刷機の内部で、操作することを印刷工に可能にする方法および装置を提供することにある。
【課題を解決するための手段】
【００１０】
本発明のこの目的は、請求項１に記載の方法によって達成され、および請求項２１に記載の印刷システムによって達成される。その他の有利な実施態様は、従属請求項に記載されている。
【００１１】
本発明によると、少なくとも被印刷体に印刷された印刷画像に基づいて、領域ごとの修正値が印刷機の領域で生起される。そしてこの修正値が、印刷の基礎となる印刷原図およびラスター化された画像データのうちの少なくとも１つの修正のために利用され、少なくともこの修正値に基づいて、少なくとも１つの第２の版が製作される。
【００１２】
この修正値は、たとえば印刷画像の特定の領域における階調値または色濃度の所望の変更であってよい。色分解版が調節されるべきなのがどの色なのかに応じて、この修正値は、当該色に対応する印刷原図の修正のために利用される。当然ながら、これからまずラスター化を行わなくてはならない印刷原図を修正するのではなく、すでにラスター化されている画像データを直接修正するのであってもよい。その場合には、ラスタービットマップの個々の網目セルまたは網点の修正となる。印刷原図をあらためてラスター化している間に本方法を適用することも考えられ、これも本発明の範疇に含まれるものとする。
【００１３】
必要な修正値を決定するためのできるだけ簡単な操作を実現するために、本発明では、印刷された印刷画像がモニタに表示され、修正値が生起されるべき領域をマーキングまたは選択できることが意図されるのが好ましい。
【００１４】
そのために、たとえば被印刷体に印刷された印刷画像をまずスキャンして読み込み、次いで、相応のモニタに表示させることができる。そして、選択された領域で、またはマーキングされた領域で、その個所に希望される新たな階調値または色濃度に相当する修正値を生起することができる。
【００１５】
マーキングされる領域は、たとえば特定のオブジェクトであってもよく、たとえば、印刷された印刷画像内の家や人間や広場であってもよい。このようなマーキングは、たとえばモニタのタッチスクリーンを通じて入力することができ、あるいは、印刷画像内のオブジェクトの自動認識を通じて生起することができる。
【００１６】
別の好ましい実施態様では、選択可能な領域は、印刷方向で少なくとも印刷画像全体にわたって延びるゾーンの形式で設けられることが意図される。これらのゾーンは、印刷工に周知のインキゾーンに相当しているのが好ましい。これらのゾーンはたとえば幅が３２．５ｍｍであってもよく、個々のインキゾーンでの階調値もしくは色濃度の変更は印刷工によって、インキゾーン調節ねじを調整するように、印刷工にとって周知の仕方で行うことができ、この場合にはインキゾーン調節ねじを調整する代わりに、そのマーキングされた領域で相応の修正値が生起されることになる。
【００１７】
特別に簡単なやり方でこのようなゾーンを印刷工に提示するために、本発明によると、これらの選択可能な領域は、表示された印刷画像に重なり合う構造としてモニタ上で提示されることが意図される。当然ながら、選択可能な領域として提示されるゾーンまたはインキゾーンとは別に、印刷画像内の境界面が自動的に認識されて、相応に選択可能な領域が提示されることが意図されていてもよい。
【００１８】
選択された修正すなわち修正値をいっそう精密にするために、本発明によると、表示される印刷画像がゾーンに下位区分され、これらのゾーンは、印刷画像全体にわたって長手方向に延びる少なくとも３つの帯状部で構成されることが意図される。それにより、表示されたゾーンで大まかな調整をまず行ってから、個々の帯状部について、より精密な修正値を設定することができる。このとき修正値は、特に簡単なやり方では、常にゾーン全体にわたって作用することができ、相応の帯状部全体にわたる加算によって作用することができる。これらの帯状部は表示させることができ、あるいは、階調値または色濃度を操作するためにのみ保存されていてもよい。
【００１９】
個々のゾーンの間で、階調値または色濃度の内部での飛躍が生じないようにするために、本発明によると、修正値は隣接するゾーンに合わせて帯状部単位で調節されることが意図されるのが好ましく、それにより、１つのゾーンからこれに接するゾーンへの調節された推移が得られる。
【００２０】
この推移を調整可能であることが意図されるのが特別の好ましい。それによって、操作者には、印刷枚葉紙の幅全体にわたって視覚的に良い印象をもたらす推移を実現できるようにする手段が与えられる。
【００２１】
これに代わる、またはこれに加わる実施態様では、表示される印刷画像は長手方向で互いに隣接するセグメントに下位区分されることが意図される。このようにして、印刷画像内部の特定のオブジェクトのマーキングまたは選択が、長手方向を向いたゾーンに限定されるのではなく、印刷画像内部にあって境界面で完全に取り囲まれている領域を、簡単なやり方で選択することができる。このような領域が相応にマーキングまたは選択されたときは、当該領域の内部にあるすべてのセグメントが選択される。部分的にのみこの領域の内部にあるセグメントについては、境界領域に位置している割合に応じて、相応の修正値が調節されることが意図されていてよい。
【００２２】
このように、相応のマーキングによってすべてのセグメントが選択され、これらの選択されたセグメントについて修正値が生起される。この場合、選択された領域のセグメントの修正値は、当該領域の境界に向うにつれて、外部でこれに接するセグメントに合わせて調節されることが意図されるのも好ましい。このような調節も調整可能であるのが好ましい。特に、これに加えて、またはこれに代えて、相応の調節が行われる境界領域の幅も調整可能であることが意図される。このようにして、選択された１つのオブジェクトもしくは領域から、選択されたオブジェクトの外部にある領域へと、きわめて一様な推移を行うことができる。
【００２３】
本発明によると、この修正値もしくは修正データは、印刷機の領域で利用者によって生起できることが意図される。その場合、調節もしくは修正された版を製作するために、本発明によると、この修正データがラスターイメージプロセッサ（ＲＩＰ）または製版装置へ伝送されることが意図される。そして、伝送された修正値を通じて、印刷原図またはラスター化された画像データを、利用者の設定事項に準じて調節することができる。
【００２４】
自分が行う修正が印刷画像にどのような影響を及ぼすかを利用者が認識できるようにするために、本発明によると、ＲＩＰまたは製版装置は、ラスター化された画像データまたは画像データの基になるオブジェクトを修正値に準じて修正し、次いで、場合によりラスター化をした後に、修正された画像データを再び印刷機へ伝送し、この修正された画像データに基づいて、修正された印刷画像の画像が表示されることが意図されるのが特別に好ましい。このことは、たとえばマーキングされた領域のデータだけが修正されて送り返され、次いで、この修正された画像データが、結像された印刷画像として表示されるように行うことができる。この場合、特に、重ね合わされた印刷画像のさまざまな透明度を調整できることが意図されていてよい。修正された画像データによって、少なくとも領域ごとに、表示される印刷画像の全面的な置き換えが行われてもよい。そうすれば利用者は、印刷機と版の段階との通信によって、すなわちＲＩＰまたは版露光器との直接の通信によって、自分が行った修正の結果をきわめて迅速に見ることが可能になる。特に、本発明では当然ながら、ハードウェアまたはソフトウェアとして製作されていてよい別のＲＩＰが、印刷機の領域で、少なくとも印刷画像の修正されたデータを表示するために設けられていることが意図されていてもよい。
【００２５】
印刷機内部で従来式のインキゾーンを用いる場合、印刷工には、予定されているインキ量を所定の限度内で増減することが可能である。上述したようなインキゾーンのない印刷ユニットについても、インキ量を増減する相応の感覚を生かすことを可能にするために、本発明によると、さらに別の実施態様では色重ねによって印刷が行われ、被印刷体の色調の変更は、常に、少なくとも後続する第２の版を製版するときにラスターデータの修正を通じて調整されることが意図される。第１の版を製作するときにこのような色重ねを考慮に入れることができ、それにより、第２の版を製作するときのラスターデータの修正によって、インキ量の増加もラスターデータを通じて具体化することができる。
【００２６】
全体として、印刷される印刷画像に関して印刷機で行われる変更は、個々の画点または網点の絶対値である修正値であり、または、特定の画点または網点の相対的な変化を表す修正値を生成することができる。そしてこのような値を、印刷機から再びプリプレスへ送り返し、そこで新たな版を製作するために利用することができる。
【００２７】
特別に好ましい実施態様では、印刷方法はアニロックス印刷法であることが意図される。インキゾーンのないこの印刷方法では、版を製作する上述した方法を特別に有利に適用することができる。特別に好ましい別の実施態様では、版は印刷用版であり、製版装置としては、印刷機から分離された版露光器が用いられることが意図される。その場合、版露光器がどの場所にあるかは問題ではない。印刷機で直接印刷画像を処理することができ、生成された修正値はプリプレスへ送り返すことができ、すなわち版露光器へ伝送され、印刷機の近傍にこのような版露光器を設ける特別な必要性はない。したがって、大幅なフレキシビリティが実現される。
【００２８】
被印刷体上の異なった階調値または色濃度につながる可能性がある、印刷機そのものの特性を製版のときに考慮するために、まず最初に、特定のテスト版の上で準備される版が製作されることが意図されるのが好ましい。このテスト版は、それぞれ１つの領域に割り当てられたコントロール楔を有しているのが好ましい。このような版の領域は、たとえば上に説明したゾーンごとの領域であってもよい。このコントロール楔を通じて、色調およびドットゲインのうちの少なくとも１つの不規則性を、被印刷体の印刷時に局所的に領域ごとに判定することができ、そして、この判定された不規則性を参照しながら修正値を作成することができ、この修正値を印刷機からＲＩＰまたは製版装置すなわち版露光器へ伝送して、少なくとも第１の版を製作するときに考慮することができる。このような考慮は、画像データまたは網点の相応の局所的な修正が、すでに第１の版の製作時に適用されるようにして行うことができる。
【００２９】
さらに、本発明の目的は、上に説明したような方法を実施するために、少なくとも１つの印刷機と、印刷機における印刷方法のために少なくとも１つの版を製作するための製版装置とを含み、第１の画像データに基づいて第１の版が製作され、この版を用いて印刷画像が被印刷体に印刷される、印刷システムによって達成される。
【００３０】
この印刷システムは、印刷機がインキゾーンのない印刷機であり、たとえばアニロックス、特にアニロックス印刷機であることを特徴としており、さらにスクリーンが設けられており、このスクリーンには印刷された印刷画像が表示され、さらにこの印刷システムでは、表示された印刷画像の選択された領域をマーキングするのに適したマーキング機構が意図されており、さらに、このようにしてマーキングされた領域内部の修正値を調整するための切換部材が設けられているのがよい。さらに、製版装置は版露光器であり、版露光器および印刷機のうちの少なくとも１つはラスターイメージプロセッサ（ＲＩＰ）を有しているのがよい。印刷機から版露光器およびＲＩＰのうちの少なくとも１つへ修正値を伝送するために、およびこれを印刷機へ送り返すために、通信回線が設けられるのがよい。さらに、少なくとも１つの操作機構が設けられるのがよい。さらに、少なくとも１つの操作機構は印刷機の領域で、表示された修正済みの印刷画像を操作するために、および、修正された印刷画像に基づいて版の製作を開始するために、のうちの少なくとも１つのために、設けられているのがよい。
【００３１】
このようにして、本明細書に記載された印刷システムによって、すでに上に説明した方法の実施が可能となる。
【発明を実施するための最良の形態】
【００３２】
次に、本発明の実施の形態について図面を参照して説明する。
【００３３】
図１は、図示した例では４つの印刷ユニット２を有するアニロックス印刷機１を備える、本発明による印刷システムを示している。印刷ユニット２はインキゾーン調節ねじを有しておらず、スクリーンローラによって印刷インキが版胴５に転移される簡易型インキ装置だけを有している。これは、すでにそれ自体として公知のアニロックス型インキ装置の実施形態である。スクリーンローラによってインキ盛りされた版１８は、ブランケット胴４を介して、印刷画像２０１を枚葉紙７に転移する。枚葉紙７は、給紙パイル６から、搬送経路に沿って印刷機１を通過するように案内され、そのようにして、ブランケット胴４と圧胴３とによって形成される印刷間隙１９に達する。この印刷間隙１９で、インキが枚葉紙７に転移される。印刷ユニット２は、前述したようにアニロックスユニットであるのがよい。この場合、湿し装置が設けられた実施形態だけでなく、水なし印刷が実施される実施形態も可能である。
【００３４】
このように、ここに図示している印刷機１は枚葉紙オフセット印刷機である。
【００３５】
通信接続８を介して、印刷機を操作卓９から制御することができる。この操作卓９は、制御をサポートするために、またはそれ自体を制御するために、モニタ１２を有している。
【００３６】
枚葉紙７が給紙パイル６から印刷機１の印刷ユニット２を通過するように案内された後、この枚葉紙には完全な印刷画像２０１が印刷されている。そしてこの印刷画像２０１を、相応の検出装置によって検出することができる。ここに図示した事例では、そのために外部の枚葉紙スキャナ１０が設けられており、その上に枚葉紙７の見本刷りを載せてスキャンすることができる。これに代えて、枚葉紙７を印刷機１の内部で相応のスキャン装置によって検出することも、当然ながら可能である。
【００３７】
枚葉紙スキャナ１０は、伝送回線１１を介して操作卓９と接続されている。このようにして、印刷枚葉紙７のすべてのデータを枚葉紙スキャナ１０から操作卓９へ伝送し、そこで表示させることができる。このことは、たとえばモニタ１２の上で行うことができる。全体として、モニタ１２そのものを操作卓９にすることも可能である。モニタは、枚葉紙７全体を表示するために十分な大きさでなければならず、タッチスクリーンとして構成されていてもよい。このようにして、機械を制御するためのすべての入力を、モニタ１２の表面から直接行うことが可能である。
【００３８】
ここには詳しくは図示しない操作部材によって、一方では、操作卓９から印刷機１を操作することができ、他方では、印刷画像２０１の修正を行うことができる。そのために、図３と図４に示すように、さまざまな操作部材２０４，２０５，２０６，３０２，３０３が設けられていてもよい。これらの操作部材は操作卓９でハードウェアに設けられていてもよく、または、モニタ１２に表示することができる。さらに、モニタ１２に表示された印刷枚葉紙７の特定の領域をマーキングすることができるマーキング機構１７が設けられている。そして、操作部材２０４，２０５，２０６，３０２，３０３を通じて、マーキングされた領域で修正を行い、そのようにして修正値を手作業で調整することができる。この修正値は、通信回線１３を介して、ラスターイメージプロセッサ（ＲＩＰ）へ伝送することができる。このＲＩＰ１５は、ここに図示した事例では、版露光器１６に付属している。さらに、ＲＩＰは版露光器１６に直接組み込まれていてもよく、および／またはソフトウェアとしてコンピュータに準備されていてもよい。ＲＩＰ１５は画像データを提供し、版露光器１６はこの画像データを用いて、色分解版に応じて版１８を画像付けする。通信回線１３を介してＲＩＰに伝送される修正値を通じて、個々の色分解版に付属する印刷原図を、印刷画像２０１の修正された値に合わせて補正することができる。このように補正された印刷原図に基づいて、ＲＩＰ１５は新たな画像データを作成することができる。この画像データは通信回線１４を介して操作卓９へ送り返すことができ、結果として生じる印刷画像２０１における相応の変更がモニタ１２に表示されるように換算することができる。このようにして、操作部材２０４，２０５，２０６，３０２，３０３およびマーキング機構１７によって行われた修正、すなわち印刷画像２０１の変更を、モニタ１２に直接表示させることができる。こうして作成された変更が満足のいくものであれば、すなわち、表示された印刷画像２０１が操作員の希望する印刷画像に合致していれば、相応の操作パネルによってＯＫを与えることができ、ＲＩＰ１５は、相応のラスター化された画像データを版露光器１６へ伝送することができ、版露光器は、こうして修正された画像データに基づいて、個々の印刷ユニット２のための新たな版１８を製作する。
【００３９】
図２には、アニロックス印刷機１の版を製作するための相応のフローチャートが示されている。
【００４０】
ここには図示しない前に配置されたワークフローの内部で、画像とテキストから個々のページが編集される。これらのページが、相応のソフトウェアによって、印刷枚葉紙に版面として組み付けられる。組み付けられたこの枚葉紙はＰＤＦファイル１０１として保存される。このＰＤＦファイル１０１またはポストスクリプトファイル（ＰＳ）がＲＩＰ１５に伝送される。ＲＩＰ１５の内部では、伝送されたＰＤＦファイル１０１が、印刷機１で用いられるプロセスインキに応じて、その色の相応の印刷原図へと分解され、すなわち、対応する色分解版に分解される。そして、これらの色分解版が個別にＲＩＰ１５の内部でラスター化され、そのようにして、版露光器１６のためのラスター化された画像データを生成する。このラスター化された画像データは、露光されるべき版１８のビットマップであり、各々の可能な露光点が網点によって表されている。この網点が露光されるべきか否かに応じて、ビットマップの内部で０または１が記憶される。
【００４１】
こうして生成された画像データが版露光器１６に伝送される。印刷機１の各々の印刷ユニット２について、版露光器１６の内部で、相応のプロセスインキに対応する版１８が画像付けされる。版１８を完成させるために考えられるその他のプロセスステップは、便宜上、ここには図示していない。
【００４２】
こうして製作された版１８が、アニロックス印刷機１の個々の印刷ユニット２で使用される。第１の版１８を用いたアニロックス印刷機１の第１の印刷中には、第１の枚葉紙７が印刷される。次いで、この枚葉紙７が枚葉紙スキャナ１０でスキャンされて、評価される。この枚葉紙スキャナ１０は印刷機１の外部に準備しておくことができ、あるいは印刷機１に組み込まれていてもよい。
【００４３】
こうして画点ごとに読み取られた印刷画像２０１が、操作卓９のモニタ１２に表示される。すでに説明したように、このときに特定の領域またはオブジェクト２０３をマーキングまたは選択し、設定事項に応じて利用者により修正することができ、すなわち一部改変することができる。このようにして修正値１０２が生成され、この修正値が操作卓９からＲＩＰ１５へ送り返される。するとＲＩＰ１５は、修正された印刷原図に基づいて新たな画像データを作成する。この画像データに基づき、印刷画像が操作卓９で表示される印刷画像２０１の画点について新たな値を求めることができる。この修正された画点、もしくは修正された画像データは、修正された値１０３として、ＲＩＰ１５から操作卓９へ伝送することができる。そしてＲＩＰ１５の内部で、または操作卓９の内部で、修正された画像データに基づき、修正された印刷画像２０１の表示されるべき画点が算出されて、最終的に、操作卓９のモニタ１２に表示される。こうして新たに表示された印刷画像２０１の修正画点が操作者の要求を満たしていれば、操作者は、版露光器１６による新たに修正された版１８の製作を、操作卓９にある相応のパネルを通じて停止することができる。表示された修正印刷画像２０１が操作者の期待に沿っていなければ、さらなる修正ステップによって、印刷画像を要求事項にいっそう合致させることができる。このとき、修正値１０２が何度でもＲＩＰ１５に伝送され、ＲＩＰはこれに基づいて新たに修正された値１０３を操作卓９へ送る。修正された印刷画像２０１が操作者によって承認された後で初めて、ＲＩＰ１５は修正画像データを版露光器１６へ送るよう指示し、そして版露光器が新たな版１８の画像付けを開始する。このとき特に、いくつかの色分解版についての修正値しかない場合には、これらの修正された色分解版だけを新たな版１８の製作のために使用することが可能である。これらの新たな版１８があらためて印刷機１へ装入され、そこで当初の第１の版１８と取り替えられる。あらためて枚葉紙７がプリントアウトされ、この枚葉紙７が枚葉紙スキャナ１０によってインライン式またはオフライン式にスキャンされる。こうして作成された新たな印刷画像２０１が操作卓９のモニタ１２にあらためて表示され、こうして修正された印刷画像２０１が、依然として利用者の要求事項を満たしていない場合には、前述した手順に従って、新たな版１８を製作することが可能である。そうでない場合には、満足のいくように製作された版１８を用いて、印刷ジョブ全体が印刷機１で行われる。
【００４４】
図３には、印刷画像２０１の考えられる領域ごとの修正の例が示されている。
【００４５】
ここには、印刷された枚葉紙７の一部が示されている。読み込まれた印刷画像２０１は、操作卓９のモニタ１２に表示される。表示される印刷画像２０１に加えて、本例では、相応の切換部材およびスライド調節器２０４，２０５が修正選択領域２０６の内部にある。修正選択領域２０６の内部の切換部材およびスライド調節器がどのような形式であるかは、たとえば操作卓９で選択することができる。ここに図示した事例では、修正選択領域２０６はカラーバランスを修正するための領域である。それに応じて、本例では明度、ハイライト、ミドルトーン、シャドーの切換部材が図示されている。そして、切換部材２０４を通じたこのような選択を、スライド調節器２０５によって、より厳密に調整することができる。このようなスライド調節器２０５や切換部材２０４を通じての調整は、表示された印刷画像２０１の内部でマーキングされた領域に対して適用される。この領域は、マーキング機構１７を通じてモニタ１２で直接選択することができる。そのために、表示された印刷画像２０１にマーキング２０２を付して、オブジェクト２０３をマーキングすることができる。この場合、特に、たとえば境界面の認識を通じて特定のオブジェクト２０３の選択を容易にする、さらに別の補助装置も考えられる。マーキング機構１７は、たとえば、モニタ１２に直接作用させることができる鉄筆または尖筆であってもよく、あるいは、モニタ１２の上で作用させることができる、ここには図示しないトラックボールやマウスであってもよい。
【００４６】
こうしてマーキング領域で行われた変更が、前述したように、モニタ１２であらためて表示される。このことは、当初に表示された領域の置き換えによって行うことができ、または、修正された領域の重ね合せによって行うことができる。たとえば、イエロー、ブルー、グリーン、マゼンタといった特定の色調を増減させることが可能である。特定のマーキングされた領域で、明度の変更が行われることであってもよい。特に、印刷画像全体を選択すれば、印刷画像全体をマーキングされた領域とみなすこともできる。このように、印刷領域全体にわたっての変更も可能である。
【００４７】
図４は、表示された印刷画像２０１の領域で選択することができる、特定の選択可能な領域の一例を示している。これらの選択可能な領域は、印刷画像２０１を覆っている。ここに図示した事例では、これは、読み込まれて表示された印刷画像２０１全体を覆うインキゾーン３０１である。
【００４８】
これらのインキゾーン３０１は、インキゾーン調節部材を備えるオフセット印刷機のインキゾーンにならって象徴的に作成されたゾーンである。それによって、操作者は感覚の上では、あたかも自分のよく知っているインキゾーンが実際にあるかのように、インキゾーンのない印刷機を扱うことができる。
【００４９】
機械式のコントローラとして操作卓９に設けられているか、または、モニタ１２の上でバーチャルに利用することができるインキゾーンコントローラ３０２を通じて、個々のインキゾーン３０１を利用者の要求に合わせて調節することができる。インキゾーンコントローラ３０２の設定と適用に応じて、該当するインキゾーン３０１の内部にあるすべての画点について相応の修正値が生成され、ＲＩＰ１５に伝送される。モニタ表示３０４は、枚葉紙７の表示された印刷画像２０１に加えて、ここに図示した事例では、インキゾーンコントローラ３０２と、さらに別の調整・切換領域３０３とをさらに含んでいる。個々のインキゾーンまたはインキゾーンコントローラ３０１，３０２について、考えられるさらに別の調整機能が設けられていてもよい。
【００５０】
図５は、修正値１０２を生成するために保存されるインキゾーン３０１の図面を示している。インキゾーン３０１は個々の帯状部４０１および４０２に分解されており、これらの帯状部は長手方向で枚葉紙７全体をカバーしており、これに対して横向きにはインキゾーン３０１の何分の１かだけを占めている。インキゾーン３０１は、異なる幅の帯状部４０１，４０２で構成されていてよい。インキゾーン３０１の縁部領域にある帯状部４０１は、インキゾーン３０１の中央領域にある帯状部４０２よりも細いのが好ましい。そうすれば、インキゾーンコントローラ３０２の最終位置によって修正値１０２がインキゾーン３０１全体について等しく生成されるのではなく、個々の帯状部４０１について改変された修正値１０２が生成される。この場合、インキゾーン３０１の外側領域にある帯状部４０１についての修正値１０２は、これに接するインキゾーン３０１の色値に合わせて調節される。これは特に、隣接するインキゾーン３０１のすでに修正済みの色値に合わせた調節であってもよい。帯状部４０１によるこの調節領域の幅は、特に、ここには図示しない別の選択コントローラを通じてセットアップすることができる。その場合、インキゾーン３０１の修正が隣接するインキゾーン３０１へと移行する部分については、複数の帯状部４０１を選択することができる。
【００５１】
図３に示したような領域を選択するために、インキゾーン３０１はさまざまなセグメント４０３に分割されていてもよい。そしてこれらのセグメント４０３を、設定に応じて、インキゾーン３０１に関わりなく、図３に示したようなマーキング２０２によって選択することができる。この場合にも、マーキングされたオブジェクト２０３のすべてのセグメント４０３について、相応のスライド調節器２０５を通じて統一的な修正を行いながら、その一方で、こうして生成された修正値１０２を、マーキング２０２そのものの範囲内で改変することが可能である。その場合、マーキング２０２の範囲内にあるセグメント４０３については、オブジェクト２０３の内部にあるセグメント４０３についてと異なる修正値１０２が生じる。さらに、セグメント４０３の選択もしくはマーキング２０２からの距離を調整可能なパラメータとして指定することが可能であり、それにより、マーキングされたオブジェクト２０３の修正から、周囲にあるその他の印刷画像２０１への移行領域を調整することができる。特に、図示しないコントローラを通じて、調節そのものを調整することが可能であり、すなわち調節の強さもしくは勾配を調整することが可能である。
【００５２】
このように、操作卓９で行われる変更とプリプレスのＲＩＰ１５との組み合わせによって、普通であれば従来式のオフセット印刷機のインキゾーンを通じて可能であるような、結果として生じる印刷画像２０１の変更を、アニロックス印刷機１についても調整することができる。特に、従来式のオフセット印刷機によっても可能でない変更さえ行うことができる。この場合、従来式のオフセット印刷機にも、本方法を適用することが可能であろう。このようにして新たに製作された版１８は、すでに印刷されて作成された枚葉紙７に基づいて印刷機１で直接相応の修正を行った利用者の要求事項を満たしている。
【図面の簡単な説明】
【００５３】
【図１】印刷機と版露光器とを含む印刷システムを示す図である。
【図２】修正された版を製作するためのフローチャートである。
【図３】領域ごとのマーキングを示す図である。
【図４】ゾーンごとの選択を示す図である。
【図５】ゾーンの表示を示す図である。
【符号の説明】
【００５４】
１    アニロックス印刷機
２    印刷ユニット
３    圧胴
４    ブランケット胴
５    版胴
６    給紙パイル
７    枚葉紙
８    通信接続
９    操作卓
１０    枚葉紙スキャナ
１１    伝送回線
１２    モニタ
１３    通信回線
１４    通信回線
１５    ラスターイメージプロセッサ（ＲＩＰ）
１６    版露光器
１７    マーキング機構
１８    版
１９    印刷間隙
１０１    ＰＤＦファイル
１０２    修正値
１０３    修正された値
２０１    印刷画像
２０２    マーキング
２０３    オブジェクト
２０４    切換部材
２０５    スライド調節器
２０６    修正選択領域
３０１    インキゾーン
３０２    インキゾーンコントローラ
３０３    調整・切換領域
３０４    モニタ表示
４０１    帯状部
４０２    帯状部
４０３    セグメント
【図１】
2008105423.tif 000003
【図２】
2008105423.tif 000004
【図３】
2008105423.tif 000005
【図４】
2008105423.tif 000006
【図５】
2008105423.tif 000007